(57)【要約】【課題】  実装されたプログラムや設定情報の再設定が容易で記録された情報等の外部への取り出しが容易な記録装置を実現する。【解決手段】  情報を収集して記録し記録された情報を外部に提供する記録装置において、外部に接続された複数台の情報発生装置から情報を収集する入力手段と、プログラム、定義情報、情報が格納される記憶手段と、外部の機器の間での入出力を行う入出力手段と、接続された外部記憶媒体に情報の書き込みや読み出しを行う外部記憶媒体接続手段と、処理の実行を指示するスイッチ手段と、処理状態を表示する表示手段と、実装されたプログラムに基づき記録装置全体の制御を行うと共にスイッチ手段の操作により書き込み処理の実行が指示された場合に外部記憶媒体接続手段に接続されている外部記憶媒体内の情報を読み出して記憶手段に順次書き込む制御手段とを設ける。【選択図】                    図１
2006059190.tif 000002
【特許請求の範囲】
【請求項１】
情報を収集して記録し記録された情報を外部に提供する記録装置において、
外部に接続された複数台の情報発生装置から情報を収集する入力手段と、
プログラム、定義情報、前記情報が格納される記憶手段と、
外部の機器の間での入出力を行う入出力手段と、
接続された外部記憶媒体に情報の書き込みや読み出しを行う外部記憶媒体接続手段と、
処理の実行を指示するスイッチ手段と、
処理状態を表示する表示手段と、
実装された前記プログラムに基づき記録装置全体の制御を行うと共に前記スイッチ手段の操作により書き込み処理の実行が指示された場合に前記外部記憶媒体接続手段に接続されている外部記憶媒体内の情報を読み出して前記記憶手段に順次書き込む制御手段と
を備えたことを特徴とする記録装置。
【請求項２】
前記制御手段が、
前記スイッチ手段の操作により書き込み処理の実行が指示されたと判断した場合に前記外部記憶媒体接続手段に外部記憶媒体が接続されているか否かを判断し、
前記外部記憶媒体接続手段に外部記憶媒体が接続されていると判断した場合に前記外部記憶媒体接続手段に接続されている前記外部記憶媒体内の情報を読み出して前記記憶手段に順次書き込み、
前記外部記憶媒体から前記記憶手段への書き込み処理が完了したと判断した場合に前記表示手段に書き込み処理の終了を表示することを特徴とする
請求項１記載の記録装置。
【請求項３】
情報を収集して記録し記録された情報を外部に提供する記録装置において、
外部に接続された複数台の情報発生装置から情報を収集する入力手段と、
プログラム、定義情報、前記情報が格納される記憶手段と、
外部の機器の間での入出力を行う入出力手段と、
接続された外部記憶媒体に情報の書き込みや読み出しを行う外部記憶媒体接続手段と、
処理の実行を指示するスイッチ手段と、
処理状態を表示する表示手段と、
実装された前記プログラムに基づき記録装置全体の制御を行うと共に前記スイッチ手段の操作により読み出し処理の実行が指示された場合に前記記憶手段の情報を読み出して前記外部記憶媒体接続手段に接続されている外部記憶媒体内に順次書き込む制御手段と
を備えたことを特徴とする記録装置。
【請求項４】
前記制御手段が、
前記スイッチ手段の操作により読み出し処理の実行が指示された場合に前記外部記憶媒体接続手段に外部記憶媒体が接続されているか否かを判断し、
前記外部記憶媒体接続手段に外部記憶媒体が接続されていると判断した場合に前記記憶手段の情報を読み出して前記外部記憶媒体接続手段に接続されている前記外部記憶媒体内に順次書き込み、
前記記憶手段から前記外部記憶媒体への読み出し処理が完了したと判断した場合に前記表示手段に読み出し処理の終了を表示することを特徴とする
請求項３記載の記録装置。
【請求項５】
前記制御手段が、
前記表示手段上に処理の開始表示を行うことを特徴とする
請求項１乃至請求項４のいずれかに記載の記録装置。
【請求項６】
前記制御手段が、
前記スイッチ手段によりコマンドが入力された場合に書き込み処理、若しくは、読み出し処理の実行の指示が行なわれたと判断することを特徴とする
請求項１乃至請求項５のいずれかに記載の記録装置。
【請求項７】
前記制御手段が、
前記スイッチ手段を構成する書き込み処理スイッチ、若しくは、読み出し処理スイッチの押下げにより書き込み処理、若しくは、読み出し処理の実行の指示が行なわれたと判断することを特徴とする
請求項１乃至請求項５のいずれかに記載の記録装置。
【請求項８】
前記制御手段が、
前記表示手段上に文字や記号により処理状態の表示を行うことを特徴とする
請求項１乃至請求項５のいずれかに記載の記録装置。
【請求項９】
前記制御手段が、
前記表示手段を構成する書き込み処理の終了のＬＥＤ、若しくは、読み出し処理の終了ＬＥＤを点灯させることにより処理の終了表示を行うことを特徴とする
請求項１乃至請求項４のいずれかに記載の記録装置。
【請求項１０】
前記制御手段が、
前記表示手段を構成する書き込み処理の開始のＬＥＤ、若しくは、読み出し処理の開始ＬＥＤを点灯させることにより処理の開始表示を行うことを特徴とする
請求項５記載の記録装置。
【請求項１１】
前記外部記憶媒体接続手段により情報の書き込みや読み出しが可能な外部記憶媒体が、  ＵＳＢメモリ、メモリカード、フレキシブルディスク、若しくは、ハードディスクであることを特徴とする
請求項１乃至請求項１０のいずれかに記載の記録装置。
【発明の詳細な説明】
【技術分野】
【０００１】
本発明は、情報を収集して記録し記録された情報を外部に提供する記録装置に関し、特に実装されたプログラムや設定情報の再設定が容易で記録された情報等の外部への取り出しが容易な記録装置に関する。
【背景技術】
【０００２】
従来の情報を収集して記録し記録された情報を外部に提供する記録装置に関連する先行技術文献としては次のようなものがある。
【０００３】
【特許文献１】特開平０５−２８２２３２号公報
【特許文献２】特開平０９−１１４６５７号公報
【特許文献３】特開平０９−１６７０８５号公報
【特許文献４】特開平１０−１８７１５０号公報
【特許文献５】特開平１０−２２４６８５号公報
【０００４】
図４はこのような従来の記録装置の一例を示す構成ブロック図である。図４において１はカメラ、マイク及び入力接点等の複数台の情報発生装置からの情報を収集する入力手段、２は予め実装されたプログラムに基づき記録装置全体の制御等を行うＣＰＵ（Central Processing Unit）等の制御手段、３はプログラム、定義情報、或いは、記録された情報が格納されるハードディスクやフラッシュメモリ等の記憶手段、４は記録装置外部の機器（図示せず。）等の間での入出力を行う入出力手段である。また、１，２，３及び４は記録装置５０を構成している。
【０００５】
複数台の情報発生装置（図示せず。）からの入力は入力手段１に接続され、入力手段１の出力は制御手段２に接続される。制御手段２の入出力は記憶手段３に接続され、制御手段２の入出力は入出力手段４に接続される。また、入出力手段４は記録装置５０外部の機器（図示せず。）と相互に接続される。
【０００６】
ここで、図４に示す従来例の動作を図５を用いて説明する。図５は制御手段２の動作を説明するフロー図である。
【０００７】
図５中”Ｓ００１”において制御手段２は、入力手段１を介して情報発生装置（図示せず。）から情報を取得したか否かを判断し、もし、情報を取得したと判断した場合には、図５中”Ｓ００２”において制御手段２は、予め編集されている定義情報（プログラムの振る舞いを規定する情報）に基づき入力手段１を介して取得した情報を処理、具体的にはカメラによる画像、マイクによる音声情報等をファイル化したり、接点入力信号によるイベント履歴の記録や、接点入力信号をトリガとする接点出力制御（図示せず。）等の処理を行って記憶手段３に格納する。
【０００８】
もし、図５中”Ｓ００１”において情報発生装置（図示せず。）から情報を取得しなかったと判断した場合、図５中”Ｓ００３”において制御手段２は、外部に接続された機器（図示せず。）からの情報取り出し要求があったか否かを判断する。
【０００９】
もし、図５中”Ｓ００３”において情報取り出し要求があったと判断した場合には、図５中”Ｓ００４”において制御手段２は、記憶手段３に格納されているファイルやイベント履歴等の情報を読み出して入出力手段４を介して外部に接続された機器（図示せず。）に読み出した情報を送信する。
【００１０】
この結果、制御手段２が記録装置が接続された複数台の情報発生装置（図示せず。）からの情報を収集して記録手段３に記録しておき、外部に接続された機器（図示せず。）の要求に基づき記憶手段３に格納されている情報を適宜読み出して送信することにより、監視システム等への適用が可能になる。
【発明の開示】
【発明が解決しようとする課題】
【００１１】
しかし、図４に示す従来例では、記録装置５０を交換する際には手作業で前述の定義情報を再設定しなければならず、設定作業が煩雑であり、手作業ゆえに設定ミスが生じる可能性があると言った問題点があった。
【００１２】
また、図４に示す従来例では装置に障害が生じた場合には、記録装置５０自身には操作手段や表示装置等のユーザインターフェースを有していないので、障害履歴、障害が生じた際の定義情報や実装されているプログラムのバージョン等の障害解析に必要な各種情報を記録装置５０から容易に収集することができないと言った問題点があった。
【００１３】
また、記録装置５０自身には操作手段や表示装置等のユーザインターフェースを有していないので、記録装置５０に接続されている情報発生装置（図示せず。）において対応機種の変更や、機能の追加、或いは、変更が発生した場合には、記録装置５０に実装されているプログラムをバージョンアップする作業を容易に行うことができないと言った問題点があった。
【００１４】
さらに、設定作業、障害解析に必要な各種情報の収集作業、或いは、バージョンアップ作業を記録装置が設置された現場で行うためには、記録装置５０の操作方法等を熟知した作業員が必須となってしまうと言った問題点があった。
従って本発明が解決しようとする課題は、実装されたプログラムや設定情報の再設定が容易で記録された情報等の外部への取り出しが容易な記録装置を実現することにある。
【課題を解決するための手段】
【００１５】
このような課題を達成するために、本発明のうち請求項１記載の発明は、
情報を収集して記録し記録された情報を外部に提供する記録装置において、
外部に接続された複数台の情報発生装置から情報を収集する入力手段と、プログラム、定義情報、前記情報が格納される記憶手段と、外部の機器の間での入出力を行う入出力手段と、接続された外部記憶媒体に情報の書き込みや読み出しを行う外部記憶媒体接続手段と、処理の実行を指示するスイッチ手段と、処理状態を表示する表示手段と、実装された前記プログラムに基づき記録装置全体の制御を行うと共に前記スイッチ手段の操作により書き込み処理の実行が指示された場合に前記外部記憶媒体接続手段に接続されている外部記憶媒体内の情報を読み出して前記記憶手段に順次書き込む制御手段とを備えたことにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。
【００１６】
請求項２記載の発明は、
請求項１記載の発明である記録装置において、
前記制御手段が、
前記スイッチ手段の操作により書き込み処理の実行が指示されたと判断した場合に前記外部記憶媒体接続手段に外部記憶媒体が接続されているか否かを判断し、前記外部記憶媒体接続手段に外部記憶媒体が接続されていると判断した場合に前記外部記憶媒体接続手段に接続されている前記外部記憶媒体内の情報を読み出して前記記憶手段に順次書き込み、前記外部記憶媒体から前記記憶手段への書き込み処理が完了したと判断した場合に前記表示手段に書き込み処理の終了を表示することにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。
【００１７】
請求項３記載の発明は、
情報を収集して記録し記録された情報を外部に提供する記録装置において、
外部に接続された複数台の情報発生装置から情報を収集する入力手段と、プログラム、定義情報、前記情報が格納される記憶手段と、外部の機器の間での入出力を行う入出力手段と、接続された外部記憶媒体に情報の書き込みや読み出しを行う外部記憶媒体接続手段と、処理の実行を指示するスイッチ手段と、処理状態を表示する表示手段と、実装された前記プログラムに基づき記録装置全体の制御を行うと共に前記スイッチ手段の操作により読み出し処理の実行が指示された場合に前記記憶手段の情報を読み出して前記外部記憶媒体接続手段に接続されている外部記憶媒体内に順次書き込む制御手段とを備えたことにより、障害履歴、障害が生じた際の定義情報や実装されているプログラムのバージョン等の障害解析に必要な各種情報を記録装置から容易に収集することができる。また、現場で容易に作業を行うことができる。
【００１８】
請求項４記載の発明は、
請求項３記載の発明である記録装置において、
前記制御手段が、
前記スイッチ手段の操作により読み出し処理の実行が指示された場合に前記外部記憶媒体接続手段に外部記憶媒体が接続されているか否かを判断し、前記外部記憶媒体接続手段に外部記憶媒体が接続されていると判断した場合に前記記憶手段の情報を読み出して前記外部記憶媒体接続手段に接続されている前記外部記憶媒体内に順次書き込み、前記記憶手段から前記外部記憶媒体への読み出し処理が完了したと判断した場合に前記表示手段に読み出し処理の終了を表示することにより、障害履歴、障害が生じた際の定義情報や実装されているプログラムのバージョン等の障害解析に必要な各種情報を記録装置から容易に収集することができる。また、現場で容易に作業を行うことができる。
【００１９】
請求項５記載の発明は、
請求項１乃至請求項４のいずれかに記載の発明である記録装置において、
前記制御手段が、
前記表示手段上に処理の開始表示を行うことにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２０】
請求項６記載の発明は、
請求項１乃至請求項５のいずれかに記載の発明である記録装置において、
前記制御手段が、
前記スイッチ手段によりコマンドが入力された場合に書き込み処理、若しくは、読み出し処理の実行の指示が行なわれたと判断することにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２１】
請求項７記載の発明は、
請求項１乃至請求項５のいずれかに記載の発明である記録装置において、
前記制御手段が、
前記スイッチ手段を構成する書き込み処理スイッチ、若しくは、読み出し処理スイッチの押下げにより書き込み処理、若しくは、読み出し処理の実行の指示が行なわれたと判断することにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２２】
請求項８記載の発明は、
請求項１乃至請求項５のいずれかに記載の発明である記録装置において、
前記制御手段が、
前記表示手段上に文字や記号により処理状態の表示を行うことにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２３】
請求項９記載の発明は、
請求項１乃至請求項４のいずれかに記載の発明である記録装置において、
前記制御手段が、
前記表示手段を構成する書き込み処理の終了のＬＥＤ、若しくは、読み出し処理の終了ＬＥＤを点灯させることにより処理の終了表示を行うことにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２４】
請求項１０記載の発明は、
請求項５記載の発明である記録装置において、
前記制御手段が、
前記表示手段を構成する書き込み処理の開始のＬＥＤ、若しくは、読み出し処理の開始ＬＥＤを点灯させることにより処理の開始表示を行うことにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【００２５】
請求項１１記載の発明は、
請求項１乃至請求項１０のいずれかに記載の発明である記録装置において、
前記外部記憶媒体接続手段により情報の書き込みや読み出しが可能な外部記憶媒体が、  ＵＳＢメモリ、メモリカード、フレキシブルディスク、若しくは、ハードディスクであることにより、実装されたプログラムや設定情報の再設定が容易に実行できる。プログラムをバージョンアップする作業を容易に行うことができる。また、設定ミス等が生じる恐れがなくなる。さらに、現場で容易に作業を行うことができる。障害履歴、障害が生じた際の定義情報や実装されているプログラムのバージョン等の障害解析に必要な各種情報を記録装置から容易に収集することができる。
【発明の効果】
【００２６】
本発明によれば次のような効果がある。
請求項１，２，５，６，７，８，９，１０及び請求項１１の発明によれば、制御手段が、スイッチ手段の操作により書き込み処理の実行が指示された場合に、外部記憶媒体接続手段に接続されている外部記憶媒体内の情報を読み出して記憶手段に順次書き込むことにより、実装されたプログラムや設定情報の再設定が容易に実行できる。プログラムをバージョンアップする作業を容易に行うことができる。また、外部記憶媒体接続手段に接続されている外部記憶媒体内の情報を読み出して記憶手段に順次書き込むだけなので設定ミス等が生じる恐れがなくなる。さらに、記録装置の操作方法等を熟知していない作業員であっても外部記憶媒体を外部記憶媒体接続手段に接続して、スイッチ手段により書き込み処理の実行が指示するだけなので現場で容易に作業を行うことができる。
【００２７】
また、請求項３，４，５，６，７，８，９，１０及び請求項１１の発明によれば、制御手段が、スイッチ手段の操作により読み出し処理の実行が指示された場合に、記憶手段の情報を読み出して外部記憶媒体接続手段に接続されている外部記憶媒体内に順次書き込むことにより、障害履歴、障害が生じた際の定義情報や実装されているプログラムのバージョン等の障害解析に必要な各種情報を記録装置から容易に収集することができる。また、記録装置の操作方法等を熟知していない作業員であっても外部記憶媒体を外部記憶媒体接続手段に接続して、スイッチ手段により読み出し処理の実行が指示するだけなので現場で容易に作業を行うことができる。
【発明を実施するための最良の形態】
【００２８】
以下本発明を図面を用いて詳細に説明する。図１は本発明に係る記録装置の一実施例を示す構成ブロック図である。
【００２９】
図１において５はカメラ、マイク及び入力接点等の複数台の情報発生装置からの情報を収集する入力手段、６は予め実装されたプログラムに基づき記録装置全体の制御等を行うＣＰＵ等の制御手段、７はプログラム、定義情報、或いは、記録された情報が格納されるハードディスクやフラッシュメモリ等の記憶手段、８は書き込み処理や読み出し処理等の処理状態を表示するＬＥＤ（Light Emitting Diode）やＬＣＤ（Liquid Crystal Display）等の表示手段、９は書き込み処理や読み出し処理等の処理の実行を指示する複数個のキーから構成されるスイッチ手段、１０は接続されたＵＳＢ（Universal Serial Bus）メモリ等の外部記憶媒体に情報の書き込みや読み出しを行う外部記憶媒体接続手段、１１は記録装置外部の機器（図示せず。）等の間での入出力を行う入出力手段である。また、５，６，７，８，９，１０及び１１は記録装置５１を構成している。
【００３０】
複数台の情報発生装置（図示せず。）からの入力は入力手段５に接続され、入力手段５の出力は制御手段６に接続される。制御手段６の入出力は記憶手段７に接続され、制御手段６の入出力は入出力手段１１に接続される。また、入出力手段１１は記録装置５１外部の機器（図示せず。）と相互に接続される。
【００３１】
さらに、表示手段８、スイッチ手段９及び外部記憶媒体接続手段１０はそれぞれ制御手段６に相互に接続される。
【００３２】
ここで、図１に示す実施例の動作を図２及び図３を用いて説明する。図２は書き込み処理時の制御手段６の動作を説明するフロー図、図３は読み出し処理時の制御手段６の動作を説明するフロー図である。但し、情報発生装置からの情報の記録や外部の機器からの情報の読み出し要求に対する基本的な動作に関しては図４に示す従来例と同様であるのでその説明は省略する。
【００３３】
図２中”Ｓ１０１”において制御手段６は、スイッチ手段９の操作により書き込み処理の実行が指示されたか否かを判断し、もし、書き込み処理の実行が指示されたと判断した場合には、図２中”Ｓ１０２”において制御手段６は、外部記憶媒体接続手段１０に外部記憶媒体が接続されているか否かを判断する。
【００３４】
もし、外部記憶媒体接続手段１０に外部記憶媒体が接続されていると判断した場合には、図２中”Ｓ１０３”において制御手段６は、外部記憶媒体接続手段１０に接続されている外部記憶媒体内の情報を読み出して記憶手段７に順次書き込む。
【００３５】
具体的には、外部記憶媒体の定義情報が記憶手段７内の定義情報領域及びプログラムが記憶手段７内のプログラム領域にそれぞれコピーされる。
【００３６】
そして、図２中”Ｓ１０４”において制御手段６は、外部記憶媒体から記憶手段７への書き込み処理が完了したか否かを判断し、書き込み処理が完了していないと判断した場合には図２中”Ｓ１０３”のステップを戻り、書き込み処理が完了したと判断した場合には、図２中”Ｓ１０５”において制御手段６は、表示手段８に書き込み処理の終了を表示する。
【００３７】
この結果、制御手段６が、スイッチ手段９の操作により書き込み処理の実行が指示された場合に、外部記憶媒体接続手段１０に接続されている外部記憶媒体内の情報を読み出して記憶手段７に順次書き込むことにより、実装されたプログラムや設定情報の再設定が容易に実行できる。プログラムをバージョンアップする作業を容易に行うことができる。
【００３８】
また、外部記憶媒体接続手段１０に接続されている外部記憶媒体内の情報を読み出して記憶手段７に順次書き込むだけなので設定ミス等が生じる恐れがなくなる。
【００３９】
さらに、記録装置５１の操作方法等を熟知していない作業員であっても外部記憶媒体を外部記憶媒体接続手段１０に接続して、スイッチ手段により書き込み処理の実行が指示するだけなので現場で容易に作業を行うことができる。
【００４０】
一方、図３中”Ｓ２０１”において制御手段６は、スイッチ手段９の操作により読み出し処理の実行が指示されたか否かを判断し、もし、読み出し処理の実行が指示されたと判断した場合には、図３中”Ｓ２０２”において制御手段６は、外部記憶媒体接続手段１０に外部記憶媒体が接続されているか否かを判断する。
【００４１】
もし、外部記憶媒体接続手段１０に外部記憶媒体が接続されていると判断した場合には、図３中”Ｓ２０３”において制御手段６は、記憶手段７の情報を読み出して外部記憶媒体接続手段１０に接続されている外部記憶媒体内に順次書き込む。
【００４２】
具体的には、記憶手段７内の定義情報領域の定義情報、プログラム領域のプログラム及びデータ領域のデータが外部記憶媒体それぞれコピーされる。
【００４３】
そして、図３中”Ｓ２０４”において制御手段６は、記憶手段７から外部記憶媒体への読み出し処理が完了したか否かを判断し、読み出し処理が完了していないと判断した場合には図３中”Ｓ２０３”のステップを戻り、読み出し処理が完了したと判断した場合には、図３中”Ｓ２０５”において制御手段６は、表示手段８に読み出し処理の終了を表示する。
【００４４】
この結果、制御手段６が、スイッチ手段９の操作により読み出し処理の実行が指示された場合に、記憶手段７の情報を読み出して外部記憶媒体接続手段１０に接続されている外部記憶媒体内に順次書き込むことにより、障害履歴、障害が生じた際の定義情報や実装されているプログラムのバージョン等の障害解析に必要な各種情報を記録装置５１から容易に収集することができる。
【００４５】
また、記録装置５１の操作方法等を熟知していない作業員であっても外部記憶媒体を外部記憶媒体接続手段１０に接続して、スイッチ手段により読み出し処理の実行が指示するだけなので現場で容易に作業を行うことができる。
【００４６】
なお、図１に示す実施例では、スイッチ手段９の操作により書き込み処理の実行、或いは、読み出し処理の実行を指示する旨記載しているが、スイッチ手段からコマンド（特定のキー操作）等を入力することによって実行の指示を行っても、単純に、スイッチ手段９として”書き込み処理スイッチ”、或いは、”読み出し処理スイッチ”を設けて当該スイッチの押下げにより実行の指示を行っても構わない。
【００４７】
また、図１に示す実施例では、表示手段８に書き込み処理の終了、或いは、読み出し処理の終了を表示させる旨記載しているが、勿論、表示手段８上に書き込み処理、或いは、読み出し処理の開始表示を行っても構わない。
【００４８】
また、図１に示す実施例では、表示手段８に書き込み処理の終了、或いは、読み出し処理の終了を表示させる旨記載しているが、表示手段８上に文字や記号により処理の終了表示を行っても、単純に、書き込み処理の終了のＬＥＤ、或いは、読み出し処理の終了のＬＥＤ等を点灯させることにより処理の終了表示を行っても構わない。
【００４９】
また、同様に、書き込み処理の開始のＬＥＤ、或いは、読み出し処理の開始のＬＥＤ等を点灯させることにより処理の終了表示を行っても構わない。
【００５０】
さらに、表示手段８の代わりにスピーカ等の音響手段を備え、音、音声、或いは、特定のメロディー等によって書き込み処理、或いは、読み出し処理の処理状態を表しても構わない。
【００５１】
また、図１に示す実施例では、記録装置５１への情報の設定、或いは、記録装置５１からの情報の収集を例示しているが、内部の記憶手段７の情報の外部記憶媒体接続手段１０に接続されている外部記憶媒体にバックアップするバックアップ装置に適用することも可能である。
【００５２】
また、図１に示す実施例では外部記憶媒体接続手段１１はＵＳＢメモリ等の外部記憶媒体に情報の書き込みや読み出しを行う旨記述しているが、情報の書き込みや読み出しが可能な外部記憶媒体としてはＵＳＢメモリのみならず、メモリカード（ＳＤ（Secure Digital）カードやＣＦ（Compact Flash）カード等）、フレキシブルディスク、或いは、ハードディスク等であっても構わない。
【図面の簡単な説明】
【００５３】
【図１】本発明に係る記録装置の一実施例を示す構成ブロック図である。
【図２】書き込み処理時の制御手段の動作を説明するフロー図である。
【図３】読み出し処理時の制御手段の動作を説明するフロー図である。
【図４】従来の記録装置の一例を示す構成ブロック図である。
【図５】制御手段の動作を説明するフロー図である。
【符号の説明】
【００５４】
１，５  入力手段
２，６  制御手段
３，７  記憶手段
４，１１  入出力手段
８  表示手段
９  スイッチ手段
１０  外部記憶媒体接続手段
５０，５１  記録装置
【図１】
2006059190.tif 000003
【図２】
2006059190.tif 000004
【図３】
2006059190.tif 000005
【図４】
2006059190.tif 000006
【図５】
2006059190.tif 000007